(57)【要約】【課題】  収納／引き出しに要するスペースを縮小させ、室内空間の有効利用を図ることができる収納型ベッドを提供すること。【解決手段】  ベッド本体と、上記ベッド本体の一端側に立設されたベッド収納構造体と、を具備し、上記ベッド本体の一端側を上記ベッド収納構造体に沿って昇降させることにより上記ベッド本体を収納／引き出しするようにすることで、収納／引き出しに要するスペースを縮小させ、室内空間の有効利用を図ることができるようにしたもの。【選択図】  図７
2015104600.tif 000002
【特許請求の範囲】
【請求項１】
ベッド本体と、上記ベッド本体の一端側に立設されたベッド収納構造体と、を具備し、
上記ベッド本体の一端側を上記ベッド収納構造体に沿って昇降させることにより上記ベッド本体を収納／引き出しするようにしたことを特徴とする収納型ベッド。
【請求項２】
請求項１記載の収納型ベッドにおいて、
上記ベッド収納構造体に上下方向に指向して軌道が設置され、
上記軌道に沿ってスライダが昇降可能に設置され、
上記スライダに上記ベッド本体の一端が連結され、
上記ベッド本体はその一端を上記軌道に沿って上昇せられることによりベッド収納構造体に沿って立てた状態で収納されその一端を上記軌道に沿って降下せられることにより引き出されることを特徴とする収納型ベッド。
【請求項３】
請求項１又は請求項２記載の収納型ベッドにおいて、
上記一端は上記ベッド本体の長手方向の一端であることを特徴とする収納型ベッド。
【請求項４】
請求項１〜請求項３の何れかに記載の収納型ベッドにおいて、
上記ベッド本体は折曲可能に構成されていて、上記収納と引き出しの途中で折り曲げられてソファとして機能可能に構成されていることを特徴とする収納型ベッド。
【請求項５】
請求項１〜請求項４の何れかに記載の収納型ベッドにおいて、
上記ベッド本体を引き出す場合には衝撃を緩衝するとともに上記ベッド本体を収納する場合には収納操作力を補助する緩衝・補助手段が設けられていることを特徴とする収納型ベッド。
【請求項６】
請求項１〜請求項５の何れかに記載の収納型ベッドにおいて、
上記ベッド本体を収納／引き出しするための駆動手段が設けられていることを特徴とする収納型ベッド。
【請求項７】
請求項５記載の収納型ヘッドにおいて、
上記緩衝・補助手段は定荷重ばねであることを特徴とする収納型ベッド。
【請求項８】
請求項５記載の収納型ベッドにおいて、
上記緩衝・補助手段はカウンターウェイトであることを特徴とする収納型ベッド。
【請求項９】
請求項６記載の収納型ベッドにおいて、
上記駆動手段はモータ駆動のチェーン・スプロケット方式のものであることを特徴とする収納型ベッド。
【請求項１０】
請求項６記載の収納型ベッドにおいて、
上記駆動手段はモータ駆動のウィンチ方式のものであることを特徴とする収納型ベッド。
【請求項１１】
請求項６記載の収納型ベッドにおいて、
上記駆動手段はモータ駆動のネジ・ナット方式のものであることを特徴とする収納型ベッド。
【請求項１２】
請求項１〜請求項１１の何れかに記載の収納型ベッドにおいて、
上記ベッド収納構造体は壁面に沿って設置されていることを特徴とする収納型ベッド。
【発明の詳細な説明】
【技術分野】
【０００１】
本発明は、収納型ベッドに係り、特に、収納／引き出しに要するスペースを縮小させ、室内空間の有効利用を図ることができるように工夫したものに関する。
【背景技術】
【０００２】
収納型ベッドとしては、例えば、特許文献１に記載された壁面収納ベッドのようなものが知られていた。
この壁面収納ベッドは、ベッド本体の一端が壁面に対して回動可能に設置されている。そして、このベッド本体の他端を持ち上げて立てた状態にすることで、上記壁面に設けられたベッド収納用凹部内に収納するようになっている。また、このように収納された状態から、上記ベッド本体の他端側を下側に向けて回動させることで上記ベッド本体を引き出して使用するようにしている。
【先行技術文献】
【特許文献】
【０００３】
【特許文献１】特開２００４−８１３１８号公報
【発明の概要】
【発明が解決しようとする課題】
【０００４】
しかし、上記従来の壁面収納ベッドによると、次のような問題があった。
すなわち、上記壁面に回動可能に設置された一端を中心に他端を回動させることにより、ベッド本体を収納／引き出すように構成されているので、収納／引き出しに広いスペースを要してしまい、室内空間の有効利用を図ることができないという問題があった。
例えば、ベッド本体の他端の回動軌道内に、引き出し棚等の家具が設置されていると、上記ベッド本体の他端を回動させることができなくなってしまい、結局、ベッド本体の他端の回動軌道内の空間がデッドスペースになってしまうものである。
【０００５】
本発明はこのような点に基づいてなされたものでその目的とするところは、ベッド本体の収納／引き出しに要するスペースを縮小させ、それによって、室内空間の有効利用を図ることを可能にする収納型ベッドを提供することにある。
【課題を解決するための手段】
【０００６】
上記課題を解決するべく本願発明の請求項１による収納型ベッドは、ベッド本体と、上記ベッド本体の一端側に立設されたベッド収納構造体と、を具備し、上記ベッド本体の一端側を上記ベッド収納構造体に沿って昇降させることにより上記ベッド本体を収納／引き出しするようにしたことを特徴とするものである。
又、請求項２による収納型ベッドは、請求項１記載の収納型ベッドにおいて、上記ベッド収納構造体に上下方向に指向して軌道が設置され、上記軌道に沿ってスライダが昇降可能に設置され、上記スライダに上記ベッド本体の一端が連結され、上記ベッド本体はその一端を上記軌道に沿って上昇せられることによりベッド収納構造体に沿って立てた状態で収納されその一端を上記軌道に沿って降下せられることにより引き出されることを特徴とするものである。
又、請求項３による収納型ベッドは、請求項１又は請求項２記載の収納型ベッドにおいて、上記一端は上記ベッド本体の長手方向の一端であることを特徴とするものである。
又、請求項４による収納型ベッドは、請求項１〜請求項３の何れかに記載の収納型ベッドにおいて、上記ベッド本体は折曲可能に構成されていて、上記収納と引き出しの途中で折り曲げられてソファとして機能可能に構成されていることを特徴とするものである。
又、請求項５による収納型ベッドは、請求項１〜請求項４の何れかに記載の収納型ベッドにおいて、上記ベッド本体を引き出す場合には衝撃を緩衝するとともに上記ベッド本体を収納する場合には収納操作力を補助する緩衝・補助手段が設けられていることを特徴とするものである。
又、請求項６による収納型ベッドは、請求項１〜請求項５の何れかに記載の収納型ベッドにおいて、上記ベッド本体を収納／引き出しするための駆動手段が設けられていることを特徴とするものである。
又、請求項７による収納型ベッドは、請求項５記載の収納型ヘッドにおいて、上記緩衝・補助手段は定荷重ばねであることを特徴とするものである。
又、請求項８による収納型ベッドは、請求項５記載の収納型ベッドにおいて、上記緩衝・補助手段はカウンターウェイトであることを特徴とするものである。
又、請求項９による収納型ベッドは、請求項６記載の収納型ベッドにおいて、上記駆動手段はモータ駆動のチェーン・スプロケット方式のものであることを特徴とするものである。
又、請求項１０による収納型ベッドは、請求項６記載の収納型ベッドにおいて、上記駆動手段はモータ駆動のウィンチ方式のものであることを特徴とするものである。
又、請求項１１による収納型ベッドは、請求項６記載の収納型ベッドにおいて、上記駆動手段はモータ駆動のネジ・ナット方式のものであることを特徴とするものである。
又、請求項１２による収納型ベッドは、請求項１〜請求項１１の何れかに記載の収納型ベッドにおいて、上記ベッド収納構造体は壁面に沿って設置されていることを特徴とするものである。
【発明の効果】
【０００７】
以上述べたように、本願発明の請求項１記載の収納型ベッドによると、ベッド本体と、上記ベッド本体の一端側に立設されたベッド収納構造体と、を具備し、上記ベッド本体の一端側を上記ベッド収納構造体に沿って昇降させることにより上記ベッド本体を収納／引き出しするように構成されているので、ベッド本体の収納／引き出しに要するスペースの縮小を図ることができ、それによって、室内空間の有効利用を図ることができる。
又、請求項２による収納型ベッドによると、請求項１記載の収納型ベッドにおいて、上記ベッド収納構造体に上下方向に指向して軌道が設置され、上記軌道に沿ってスライダが昇降可能に設置され、上記スライダに上記ベッド本体の一端が連結され、上記ベッド本体はその一端を上記軌道に沿って上昇せられることによりベッド収納構造体に沿って立てた状態で収納されその一端を上記軌道に沿って降下せられることにより引き出される構成になっているので、簡単な構成で上記効果を得ることができる。
又、請求項３による収納型ベッドによると、請求項１又は請求項２記載の収納型ベッドにおいて、上記一端は上記ベッド本体の長手方向の一端であるので、上記効果をより高めることができる。
又、請求項４による収納型ベッドによると、請求項１〜請求項３の何れかに記載の収納型ベッドにおいて、上記ベッド本体は折曲可能に構成されていて、上記収納と引き出しの途中で折り曲げられてソファとして機能可能に構成されているので、ベッド本来の機能だけでなくソファとしての機能をも発揮させることができる。
又、請求項５による収納型ベッドによると、請求項１〜請求項４の何れかに記載の収納型ベッドにおいて、上記ベッド本体を引き出す場合には衝撃を緩衝するとともに上記ベッド本体を収納する場合には収納操作力を補助する緩衝・補助手段が設けられているので、上記ベッド本体の収納／引き出し作業が容易化されることになる。
又、請求項６による収納型ベッドによると、請求項１〜請求項５の何れかに記載の収納型ベッドにおいて、上記ベッド本体を収納／引き出しするための駆動手段が設けられているので、それによっても、上記ベッド本体の収納／引き出し作業が容易化されることになる。
又、請求項７による収納型ベッドによると、請求項５記載の収納型ヘッドにおいて、上記緩衝・補助手段は定荷重ばねであるので、簡単な構成で上記効果を確実に得ることができる。
又、請求項８による収納型ベッドによると、請求項５記載の収納型ベッドにおいて、上記緩衝・補助手段はカウンターウェイトであるので、この場合も、簡単な構成で上記効果を確実に得ることができる。
又、請求項９による収納型ベッドによると、請求項６記載の収納型ベッドにおいて、上記駆動手段はモータ駆動のチェーン・スプロケット方式のものであるので、簡単な構成で上記効果を確実に得ることができる。
又、請求項１０による収納型ベッドによると、請求項６記載の収納型ベッドにおいて、上記駆動手段はモータ駆動のウィンチ方式のものであるので、この場合も、簡単な構成で上記効果を確実に得ることができる。
又、請求項１１による収納型ベッドによると、請求項６記載の収納型ベッドにおいて、上記駆動手段はモータ駆動のネジ・ナット方式のものであるので、この場合も、簡単な構成で上記効果を確実に得ることができる。
又、請求項１２による収納型ベッドによると、請求項１〜請求項１１の何れかに記載の収納型ベッドにおいて、上記ベッド収納構造体は壁面に沿って設置されているので、より効果的に室内空間の有効利用を図ることができる。
【図面の簡単な説明】
【０００８】
【図１】本発明の第１の実施の形態を示す図で、収納型ベッドを、引き出した状態で正面側から見た斜視図である。
【図２】本発明の第１の実施の形態を示す図で、収納型ベッドを、引き出した状態で背面側から見た斜視図である。
【図３】本発明の第１の実施の形態を示す図で、図２におけるＩＩＩ部分の拡大図である。
【図４】本発明の第１の実施の形態を示す図で、図２におけるＩＶ部分の拡大図である。
【図５】本発明の第１の実施の形態を示す図で、収納型ベッドの引き出した状態での底面図である。
【図６】本発明の第１の実施の形態を示す図で、図５におけるＶＩ部分の拡大図である。
【図７】本発明の第１の実施の形態を示す図で、図７（ａ）は収納型ベッドの引き出した状態を示す断面図、図７（ｂ）は収納型ベッドのベッド本体を持ち上げた状態を示す断面図、図７（ｃ）は収納型ベッドの収納状態を示す断面図である。
【図８】本発明の第２の実施の形態を示す図で、収納型ベッドを、引き出した状態で正面側から見た斜視図である。
【図９】本発明の第２の実施の形態を示す図で、収納型ベッドを、引き出した状態で正面側から見た斜視図であり、マットレスを除去した状態を示すものである。
【図１０】本発明の第２の実施の形態を示す図で、収納型ベッドを、引き出した状態で背面側から見た斜視図である。
【図１１】本発明の第２の実施の形態を示す図で、図１０におけるＸＩ部分の拡大図である。
【図１２】本発明の第２の実施の形態を示す図で、収納型ベッドの引き出した状態での底面図である。
【図１３】本発明の第２の実施の形態を示す図で、図９におけるＸＩＩＩ部分の拡大図である。
【図１４】本発明の第２の実施の形態を示す図で、図１２におけるＸＩＶ部分の拡大図である。
【図１５】本発明の第２の実施の形態を示す図で、図１５（ａ）は収納型ベッドの引き出した状態を示す断面図、図１５（ｂ）は収納型ベッドのベッド本体を持ち上げた状態を示す断面図、図１５（ｃ）は収納型ベッドの収納状態を示す断面図である。
【図１６】本発明の第３の実施の形態を示す図で、収納型ベッドを、引き出した状態で正面側から見た斜視図である。
【図１７】本発明の第３の実施の形態を示す図で、収納型ベッドを、引き出した状態で背面側から見た斜視図である。
【図１８】本発明の第３の実施の形態を示す図で、図１７におけるＸＶＩＩＩ部分の拡大図である。
【図１９】本発明の第３の実施の形態を示す図で、図１９（ａ）は収納型ベッドの引き出した状態を示す断面図、図１９（ｂ）は収納型ベッドのベッド本体を持ち上げた状態を示す断面図、図１９（ｃ）は収納型ベッドの収納状態を示す断面図である。
【図２０】本発明の第４の実施の形態を示す図で、収納型ベッドを、引き出した状態で正面側から見た斜視図である。
【図２１】本発明の第４の実施の形態を示す図で、図２１（ａ）は収納型ベッドの引き出した状態を示す断面図、図２１（ｂ）は収納型ベッドのベッド本体を折り畳んでソファ状にした状態を示す断面図、図２１（ｃ）は収納型ベッドの収納状態を示す断面図である。
【図２２】本発明の第５の実施の形態を示す図で、収納型ベッドを、引き出した状態で背面側から見た斜視図である。
【図２３】本発明の第５の実施の形態を示す図で、収納型ベッドを、持ち上げた状態で背面側から見た斜視図である。
【図２４】本発明の第６の実施の形態を示す図で、収納型ベッドを、引き出した状態で背面側から見た斜視図である。
【図２５】本発明の第６の実施の形態を示す図で、収納型ベッドを、持ち上げた状態で背面側から見た斜視図である。
【発明を実施するための形態】
【０００９】
図１乃至図７を参照しながら、本発明の第１の実施の形態について説明する。
まず、例えば、図１、図２に示すように、本実施の形態による収納型ベッド１は、ベッド収納構造体の一部としての壁側ユニット３と、ベッド収納構造体の一部としてのスライダ５と、ベッド本体７とから構成されている。なお、上記壁側ユニット３と上記スライダ５によって上記ベッド収納構造体が構成されている。
以下、壁側ユニット３の構成から順次詳細に説明していく。
【００１０】
まず、軌道としてのレール１１ａ、１１ｂが、図１中上下方向に沿って設置されている。これらレール１１ａ、１１ｂはその横断面形状が略Ｕ字形状をなしていて、例えば、図２に示すように、長さ方向（図２中上下方向）に延長された溝１３、１３が形成されている。
【００１１】
また、上記レール１１ａ、１１ｂの上端側（図２中上側）どうしは、フレーム部材１４ａによって連結されている。このフレーム部材１４ａは、その横断面形状が略円形をなしている。また、上記レール１１ａ、１１ｂの下端側（図２中下側）どうしも、フレーム部材１４ｂによって同様に連結されている。このフレーム部材１４ｂもその横断面形状が略Ｕ字形状をなしている。
【００１２】
また、図１に示すように、上記レール１１ａ、１１ｂ間には化粧板ユニット８が設置されている。この化粧板ユニット８は、上記レール１１ａ、１１ｂの上端側（図２中上側）に設置され水平方向（図１中左下から右上に向かう方向）に指向されたフレーム部材９ａと、上記レール１１ａ、１１ｂの下端側（図２中下側）に設置され水平方向（図１中左下から右上に向かう方向）に指向された図示しないフレーム部材と、垂直方向に指向され上記フレーム部材９ａと上記図示しないフレーム部材にその両端側を連結するフレーム部材９ｃ、９ｃ、９ｄ、９ｄと、から構成されている。そして、上記フレーム部材９ｃ、９ｃに、化粧板１０ａが設置されており、上記フレーム部材９ｄ、９ｄに化粧板１０ｂが設置されている。
なお、上記フレーム部材９ａ、図示しないフレーム部材、フレーム部材９ｃ、９ｄは、その横断面形状が略円形をなしている。
【００１３】
また、上記フレーム部材１４ａには、緩衝・補助手段としての定荷重バネ１５、１５が設置されている。この定荷重バネ１５は、常時は長尺の金属板によるバネ本体１６がその弾性復帰力により図示しないドラムに巻き取られるようになっており、上記バネ本体１６を上記ドラムから引き出す際に一定の荷重が加わるものである。上記ドラムはハウジング１７内に回転可能に収容されている。
なお、上記ドラムは、上記フレーム部材１４ａに対して、軸受１８、１８を介して回転可能に設置されている。
【００１４】
上記レール１１ａ、１１ｂの長さ方向（図２中上下方向）両端には、それぞれ、設置用部材１９、１９、１９、１９が設置されている。これら設置用部材１９、１９、１９、１９によって、上記レール１１ａ、１１ｂひいては上記壁側ユニット３が、図１に示すように、壁面２０に対して設置されている。
【００１５】
次に、上記スライダ５の構成を説明する。スライダ５は上記レール１１ａ、１１ｂに沿って昇降可能に設置されている。上記スライダ５には、まず、スライダ本体２１がある。このスライダ本体２１は、幅方向（図２中左上から右下に向かう方向）両側に図２中上下方向に指向されて設置されたフレーム部材２３ａ、２３ｂ（図２中右側のフレーム部材２３ｂは図２には図示されていない）と、水平方向（図２中左上から右下に向かう方向）に指向されて設置され、上記フレーム２３ａ、２３ｂどうしを連結するフレーム部材２５、２７とから構成されている。
なお、上記フレーム部材２３ａ、２３ｂ、２５、２７は、その横断面形状が略円形をなしている。
【００１６】
そして、上記フレーム部材２３ａ、２３ｂの長さ方向（図２中上下方向）両端にはローラ２９、２９が回転可能に設置されている。上記フレーム部材２３ａに設置されたローラ２９、２９は、上記レール１１ａの溝１３内に転動可能に設置されており、上記フレーム部材２３ｂに設置されたローラ２９、２９は、上記レール１１ｂの溝１３内に転動可能に設置されていて、これにより上記スライダ５が上記レール１１ａ、１１ｂに沿って昇降可能になっている。
【００１７】
また、例えば、図３に示すように、上記スライダ本体２１のフレーム部材２７の壁面側（図３中左下側）には、上記フレーム部材２７と同方向（図３中左右方向）に指向されたフレーム部材３１が設置されており、このフレーム部材３１には、図３中上下方向に指向されたフレーム部材３３、３３が立設されている。また、図２に示すように、これらフレーム部材３３、３３の上端（図２中上側）は、幅方向（図２中左右方向）に指向されたフレーム部材３５によって連結されている。また、上記フレーム部材３１の壁面側（図３中左下側）には、板状部材３７が設置されている。
なお、上記フレーム部材２７、３１、３３は、その横断面形状が略円形をなしている。
【００１８】
また、上記スライダ本体２１のフレーム部材２５には、緩衝・補助手段としての定荷重バネ４１、４１が設置されている。この定荷重バネ４１も、前述した定荷重バネ１５と同様の構成であり、バネ本体４３と図示しないドラムと、ハウジング４５とから構成されており、上記バネ本体４３を上記ドラムから引き出す際に一定の荷重が加わるものである。また、上記図示しないドラムは、上記フレーム部材２５に対して、軸受４７、４７を介して回転可能に設置されている。
【００１９】
また、図２に示すように、向かい合う上記定荷重バネ１５のバネ本体１６、の先端側と、上記定荷重バネ４１のバネ本体４３の先端側とが、連結部材５１によって連結されている。すなわち、上記定荷重バネ１５のバネ本体１６の先端が上記連結部材５１に固定されるとともに、上記定荷重バネ４１のバネ本体４３の先端も上記連結部材５１に固定されている。
【００２０】
また、上記連結部材５１には、リング部材５５、５５が設置されている。また、上記壁側ユニット３のフレーム部材１４にも設置用部材５６、５６を介して、リング部材５７、５７が設置されている。そして、所定の長さの図示しないワイヤの両端が、上記リング部材５５とリング部材５７に固定されている。これにより、上記図示しないワイヤの長さ以上に、上記定荷重バネ１５のバネ本体１６が引き出されないようになっている。
【００２１】
また、上記スライダ５のフレーム部材２５にも設置用部材５８、５８を介してリング部材５９、５９が設置されている。そして、所定の長さの図示しないワイヤの両端が、上記リング部材５９とリング部材５５に固定されている。これにより、上記図示しないワイヤの長さ以上に、上記定荷重バネ４１のバネ本体４３が引き出されないようになっている。
【００２２】
次に、上記ベッド本体７の構成を説明する。このベッド本体７には、図５に示すように、まず、長方形状に組み合わされたフレーム部材７１、７１、７３ａ、７３ｂと、上記フレーム部材７３ａ、７３ｂ間に上記フレーム部材７１、７１を接続するように設置された複数（本実施の形態の場合は１０本）のフレーム部材７５と、によってすのこ状に構成された底部７７が設けられている。上記フレーム部材７１、７１、７３ａ、７３ｂ、７５も、その横断面形状が略円形をなしている。
なお、上記フレーム部材７３ａは上記ベッド本体７の基端側（図５中右側）に設置されており、上記フレーム部材７３ｂは上記ベッド本体７の先端側（図５中左側）に設置されている。
【００２３】
また、図１に示すように、この底部７７の図１中右下側の幅方向（図１中左下から右上に向かう方向）両側には、フレーム部材７９、７９が立設されている。このフレーム部材７９、７９の下端（図１中下側）には、それぞれキャスタ８１が設置されている。
また、上記底部７７の図１中左上側の幅方向（図１中左下から右上に向かう方向）両側には、図１中下側に向けて脚部８２、８２が設置されている。この脚部８２は、図２に示すように、鉛直方向（図２中下側）に指向して設置されたフレーム部材８２ａと、このフレーム部材８２ａの先端側（図２中下側）と上記底部７７のフレーム部材７１との間に設置されたフレーム部材８２ｂと、上記フレーム部材８２ａの先端側（図２中下側）と上記底部７７のフレーム部材７３ａとの間に設置されたフレーム部材８２ｃとから構成される。
【００２４】
また、上記フレーム部材７９、７９の上端側（図１中上側）どうしは、フレーム部材８３によって接続されている。このフレーム部材８３と上記フレーム部材７３ｂとの間には、化粧板８５が設置されている。
【００２５】
また、上記フレーム部材８３の両端側には、上記フレーム部材７１、７１と平行にフレーム部材８７、８７が設置されている。上記フレーム部材７１と上記フレーム部材８３との間には、化粧版８９が設置されている。
また、上記フレーム部材８７、８７の図１中左上側端部どうしは、フレーム部材９１によって接続されている。
また、図１に示すように、このフレーム部材９１には、ヘッドボード部９３が設置されている。このヘッドボード部９３は、Ｕ字型フレーム部材９５とこのＵ字型フレーム部材９５の高さ方向（図１中上下方向）中央に、水平に（図１中左下から右上に向かう方向に沿って）設置されたフレーム部材９７とから構成されている。
なお、形状について特に言及していない場合は、フレーム部材は直線状の形状のものを使用している。
【００２６】
また、図１に示すように、上記ベッド本体７の底部７７上には、マットレス９９が設置される。
【００２７】
また、図５に示すように、上記底部７７のフレーム部材７３ａには、軸受１０１、１０１が設置されている。これら軸受１０１、１０１は、それぞれ、上記フレーム部材７３ａに固着された内輪１０３と、この内輪１０３の外周側に摺動可能に設置された外輪１０５とから構成されている。また、上記軸受１０１、１０１それぞれの外輪１０５とスライダ５のフレーム部材２５とは、接続部材１０７を介して接続されている。すなわち、ベッド本体７と上記スライダ５とは、上記軸受１０１、１０１によって、回動可能に接続されている。
【００２８】
なお、本実施の形態による収納型ベッド１は、部屋１１１内に設置されている。また、上記収納型ベッド１の壁側ユニット３は、上記部屋１１１の既に述べた壁面２０に設置されている。
【００２９】
次に、本実施の形態による作用を説明する。
まず、ベッド本体７を、図７（ａ）に示す引き出し状態から収納する場合について説明する。図７（ａ）に示す状態から、上記ベッド本体７のスライダ５側（図７（ａ）中左側）を図示しない作業者が持ち上げると、上記スライダ５がレール１１ａ、１１ｂに沿って図７中上側に移動される。これにより、上記ベッド本体７のスライダ５側（図７（ａ）中左側）が持ち上げられ、図７（ｂ）に示すような状態となる。
そして、さらに、上記スライダ５が上記レール１１ａ、１１ｂに沿って図７中上側に移動されると、図７（ｃ）に示すように、上記ベッド本体７が壁面２０に沿って立った状態で収納される。
【００３０】
このような収納動作に際して、定荷重バネ１５、１５、４１、４１は次のように作用する。既に述べたように、収納初期時に、上記ベッド本体７のスライダ５側（図７（ａ）中左側）を図示しない作業者が持ち上げると、上記定荷重バネ１５、１５、４１、４１が、自身の弾性復帰力により収縮しようと作用し、それによって、作業者は大きな収納力を作用させることなく、ベッド本体７を収納状態に移行させることができる。
【００３１】
また、上記ベッド本体７が収納される過程において、上記ベッド本体７の他端（図７（ａ）中右側）が持ち上げられることはないため、家具１１３に上記ベッド本体７が干渉することはない。
【００３２】
また、収納させた上記ベッド本体７を引き出す場合は、図７（ｃ）に示す収納状態から、上記ベッド本体７の他端（図７（ｃ）中下側）を図７中右側に移動させつつ、上記ベッド本体７の一端（図７（ｃ）中上側）を図７中下側に移動させればよい。
【００３３】
このような引き出し動作に際して、定荷重バネ１５、１５、４１、４１は次のように作用する。すなわち、各定荷重バネ１５、１５、４１、４１のばねがその弾性力に抗して引き出されることになるので、引き出し動作に対して適度な抵抗が作用することになり、それによって、引き出し時の衝撃が緩衝されることになる。
【００３４】
次に、本実施の形態による効果を説明する。
本実施の形態による収納型ベッド１は、壁面２０に上下方向に指向されたレール１１ａ、１１ｂに沿って移動可能にスライダ５を設置し、このスライダ５に対してベッド本体７の一端（図１中左上側）を回動可能に設置したため、引き出されたベッド本体の上方に障害物（例えば、図７に示す家具１１３等）があるような狭い空間内であっても、上記ベッド本体７を収納／引き出しすることができる。つまり、ベッド本体７の収納／引き出しに要するスペースを縮小させて室内１１１の空間の有効利用を図ることができるものである。
【００３５】
また、上記スライダ本体５と壁側ユニット３の図７中上側のフレーム部材１４ａとの間は、定荷重バネ１５、１５、４１、４１によって接続されているため、この定荷重バネ１５、１５、４１、４１の弾性力により上記スライダ５を持ち上げるために必要な力を小さくすることができ、上記ベッド本体７の収納作業を容易なものとすることができる。なお、上記ベッド本体７を引き出す場合は、上記ベッド本体７は自重により下がっていくため、容易に作業することができるとともに、上記定荷重バネ１５、１５、４１、４１の弾性力が適度に抵抗として作用するので、引き出し時の衝撃を緩衝することができる。
【００３６】
また、軌道としてレール１１ａ、１１ｂの溝１３、１３内にローラ２９、２９が転動する構成になっているので、ベッド本体７の収納／引き出し動作の円滑化を図ることができる。
また、上記定荷重バネ１５、４１が左右に一つずつ設けられているので、その機能も左右でバランスがとれたものとなり、それによって、ベッド本体７の収納／引き出し動作の円滑化を図ることができる。
また、上記定荷重バネ１５、１５が上記壁側ユニット３側に設置されており、上記定荷重バネ４１、４１が上記スライダ５側に設置されているため、上記ベッド本体７を軽くすることができ、これにより、上記ベッド本体７の収納／引き出しを容易にすることができる。
【００３７】
次に、図８乃至図１５を参照しながら、本発明の第２の実施の形態について説明する。
本実施の形態による収納型ベッド２０１も、例えば、図８乃至図１０に示すように、ベッド収納構造体の一部としての壁側ユニット２０３と、ベッド収納構造体の一部としてのスライダ２０５と、ベッド本体２０７とから構成される。なお、上記壁側ユニット２０３と上記スライダ２０５によって上記ベッド収納構造体が構成されている。
以下、壁側ユニット２０３の構成から順次詳細に説明していく。
【００３８】
上記壁側ユニット２０３には、まず、軌道としてのレール２１１ａ、２１１ｂが、図８中上下方向に沿って設置されている。これらレール２１１ａ、２１１ｂは、その横断面形状が略Ｕ字形状をなしていて、例えば、図９に示すように、長さ方向（図９中上下方向）に延長された溝２１３、２１３が形成されている。
また、上記レール２１１ａ、２１１ｂの上端側（図９中上側）どうしは、フレーム部材２１４によって連結されている。このフレーム部材２１４は、その横断面形状が略円形をなしている。また、上記フレーム部材２１４の両端側には、図９に示すように、リング２１５、２１５が設置されている。
【００３９】
上記レール２１１ａの図９中上側には、接続部材２２１、２２１を介して軸受設置部２２３が設置されている。この軸受設置部２２３上には、軸受２２５が設置されている。
また、上記レール２１１ｂの図９中上側には、接続部材２２７、２２７を介してモータ設置部２２９が設置されている。このモータ設置部２２３上には、モータ２３１と軸受２３３が設置されている。
また、上記軸受２２５と上記軸受２３３によって、軸２３５が回転可能に支持されている。この軸２３５の図９中左側の端部は、カップリング２３７を介して、上記モータ２３１の出力軸に接続されている。
また、上記軸２３５の両端側（図９中左下から右上に向かう方向の両側）には、スプロケット２３７ａ、２３７ｂが固着されている。
【００４０】
また、図１０や図１１に示すように、上記壁側ユニット２０３の図１０中下側には、スプロケット支持部２３９が設置されている。このスプロケット支持部２３９には、幅方向（図１０中左上から右下に向かう方向）に指向されたフレーム部材２４１と、このフレーム部材２４１の両端側に固着され、前後方向（図１０中左下から右上に向かう方向）に指向されたフレーム部材２４３ａ、２４３ｂが設けられている。図１０や図１１に示すように、上記フレーム部材２４３ａの先端側（図１１中右上側）には、接続部材２４５ａを介してフレーム部材２４７ａが立設されている。このフレーム部材２４７ａの図１０中上端は、フレーム部材２１４に接続されている。また、図１２に示すように、上記フレーム部材２４３ｂの先端側（図１２中左側）には、接続部材２４５ｂを介してフレーム部材２４７ｂが立設されている。このフレーム部材２４７ｂの図１０中上端は、フレーム部材２１４に接続されている。
【００４１】
また、図１２に示すように、上記フレーム部材２４７ａの下端（図１２中紙面垂直方向手前側端）は、接続部材２４９ａを介して、上記レール２１１ａに接続されている。また、上記フレーム部材２４７ｂの下端（図１２中紙面垂直方向手前側端）は、接続部材２４９ｂを介して、上記レール２１１ｂに接続されている。
なお、上記フレーム部材２４１、２４３ａ、２４３ｂ、２４７ａ、２４７ｂも、その横断面形状が略円形をなしている。
【００４２】
また、上記フレーム部材２４３ａの基端側（図１２中右側）と、上記レール２１１ａの下端側（図１２中紙面垂直方向手前側）との間に軸２５１ａが設置されている。この軸２５１ａには軸受２５３ａを介して、スプロケット２５５ａが回転可能に設置されている。また、上記フレーム部材２４３ｂの基端側（図１２中右側）と、上記レール２１１ｂの下端側（図１２中紙面垂直方向手前側）との間に軸２５１ｂが設置されている。この軸２５１ｂには軸受２５３ｂを介して、スプロケット２５５ｂが回転可能に設置されている。
【００４３】
そして、前述したスプロケット２３７ａと上記スプロケット２５５ａには、チェーン２５７ａが巻回されている。このチェーン２５７ａの両端は、後述するスライダ２０５のフレーム部材２６３ａを介して接続されている。また、前述したスプロケット２３７ｂと上記スプロケット２５５ｂにも、チェーン２５７ｂが巻回されている。このチェーン２５７ｂの両端も、後述するスライダ２０５のフレーム部材２６３ｂを介して接続されている。
よって、上記モータ２３１によって、スプロケット２３７ａ、２３７ｂが回転されると、上記チェーン２５７ａ、チェーン２５７ｂによってその回転が伝達され、スプロケット２５５ａ、２５５ｂも回転される。
【００４４】
また、上記レール２１１ａの図９中左側には化粧板２５９ａが設置されており、上記レール２１１ｂの図９中右側には化粧板２５９ｂが設置されている。
【００４５】
次に、上記スライダ２０５の構成を説明する。このスライダ２０５は、上記レール２１１ａ、２１１ｂに沿って昇降可能に設置されている。上記スライダ２０５には、まず、スライダ本体２６１がある。このスライダ本体２６１は、図１０や図１１に示すように、既に述べたフレーム部材２６３ａ、２６３ｂと、これらフレーム２６３ａ、２６３ｂどうしを連結するフレーム部材２６５とから構成されている。上記フレーム２６３ａ、２６３ｂ幅方向（図１１中左上から右下に向かう方向）両側に図１１中上下方向に指向されて設置されており、上記フレーム部材２６５は水平方向（図１１中左上から右下に向かう方向）に指向されて設置されている。
なお、上記フレーム部材２６３ａ、２６３ｂ、２６５も、その横断面形状が略円形をなしている。
【００４６】
そして、上記フレーム部材２６３ａにはローラ２６９、２６９が回転可能に設置されている。これらローラ２６９、２６９は、上記レール２１１ａの溝２１３内に転動可能に設置されている。また、上記フレーム部材２６３ｂにも上記ローラ２６９、２６９と同様に図示しないローラが回転可能に設置されている。これらの図示しないローラも、上記レール２１１ｂの溝２１３内に転動可能に設置されている。これにより上記スライダ２０５が上記レール２１１ａ、２１１ｂに沿って昇降可能になっている。
【００４７】
また、前述したように、チェーン２５７ａの両端は上記フレーム部材２６３ａを介して連結されており、チェーン２５７ｂの両端も上記フレーム部材２６３ｂを介して連結されている。よって、上記スライダ２０５は、モータ２３１によって、スプロケット２３７ａ、２３７ｂ、２５５ａ、２５５ｂが回転されると、図１０中上下方向に移動されるようになっている。なお、図１１に示すように、上記チェーン２５７ａの両端には、それぞれ接続部材２５９ａ、２５９ａが連結されており、この接続部材２５９ａ、２５９ａが、それぞれ、上記フレーム部材２６３ａの両端に連結されている。また、上記チェーン２５７ｂの両端にも、それぞれ接続部材２５９ｂ、２５９ｂが連結されており、この接続部材２５９ｂ、２５９ｂが、それぞれ上記フレーム部材２６３ｂの両端に連結されている。
【００４８】
次に、ベッド本体２０７の構成を説明する。このベッド本体２０７には、図１２に示すように、まず、長方形状に組み合わされたフレーム部材２７１、２７１、２７３ａ、２７３ｂと、上記フレーム部材２７３ａ、２７３ｂ間に上記フレーム部材２７１、２７１を接続するように設置された複数（本実施の形態の場合は１０本）のフレーム部材２７５によって、すのこ状に構成された底部２７７が設けられている。なお、上記フレーム部材２７３ａは上記ベッド本体２０７の基端側（図１２中右側）に設置されており、上記フレーム部材２７３ｂは上記ベッド本体２０７の先端側（図１２中左側）に設置されている。
また、上記フレーム部材２７１、２７１、２７３ａ、２７３ｂ、２７５も、その横断面形状が略円形をなしている。
【００４９】
また、図８に示すように、この底部２７７の図８中右下側の幅方向（図８中左下から右上に向かう方向）両側には、脚部２８１、２８１が設置されている。これら脚部２８１にはベースプレート２８３があり、このベースプレート２８３には、図８中上側に向けて、フレーム部材２８５ａ、２８５ｂ、２８５ｃ、２８５ｄが立設されている。上記フレーム部材２８５ａは上記底部２７７のフレーム部材２７１に接続されており、上記フレーム部材２８５ｄは、上記底部２７７のフレーム部材２７３ｂに接続されている。また、上記フレーム部材２８５ｂと上記フレーム部材２８５ｃとの間には、フレーム部材２８７ａ、２８７ｂが設置されている。上記フレーム部材２８５ａ、２８５ｂ、２８５ｃ、２８５ｄも、その横断面形状が略円形をなしている。
上記ベースプレート２８３の図８中下側には、キャスタ２８９が設置されている。
【００５０】
また、一方の脚部２８１のフレーム部材２８５ｃと他方の脚部２８１のフレーム部材２８５ｃとは、フレーム部材２９１、２９３によって連結されている。このフレーム部材２９１、２９３間には、化粧板２９５が設置されている。上記フレーム部材２９１、２９３も、その横断面形状が略円形をなしている。
【００５１】
また、上記底部２７７の図８中左上側の端には、ヘッドボード部３０１が設置されている。このヘッドボード部３０１は、Ｕ字型フレーム部材３０３とこのフレーム部材３０３の高さ方向（図８中上下方向）中央に、水平に（図８中左下から右上に向かう方向に沿って）設置されたフレーム部材３０５、３０７、３０８と、これらフレーム部材３０５、３０７間に設置された化粧板３０９とから構成されている。
なお、形状について特に言及していない場合は、フレーム部材は直線状の形状のものを使用している。また、上記Ｕ字型フレーム部材３０３、フレーム部材３０５、３０７、３０８も、その横断面形状が略円形をなしている。
また、上記Ｕ字型フレーム部材３０３の両端は脚部３１１、３１１となっている。
【００５２】
また、上記ヘッドボード部３０１のＵ字型フレーム部材３０３の両端側は、それぞれ、フレーム部材３１３によって、上記脚部２８１のフレーム部材２８５ａの上端（図８中上側）と接続されている。また、上記フレーム部材３１３と上記底部２７７のフレーム部材２７１との間には、化粧板３１５が設置されている。上記フレーム部材３１３も、その横断面形状が略円形をなしている。
【００５３】
また、図８に示すように、上記ベッド本体２０７の底部２７７上には、マットレス３２１が設置される。
【００５４】
また、例えば、図９や図１２に示すように、上記ベッド本体２０７には、軸受部３２５、３２５が設けられている。軸受部３２５には、まず、上記ベッド本体２０７の底部２７７のフレーム部材２７３ａと図１２中最も左側のフレーム部材２７５との間に設置されたフレーム部材３２７、３２７がある。これらフレーム部材３２７、３２７のそれぞれの長さ方向（図９中左上から右下に向かう方向）の中央からは、図９中下側に向けて指向された状態でフレーム部材３２９、３２９が設置されている。また、図１２に示すように、これらフレーム部材３２９、３２９の先端（図１２中紙面垂直方向手前側端）には、フレーム部材３３１が設置されている。上記フレーム部材３２７、３２９、３３１も、その横断面形状が略円形をなしている。
【００５５】
そして、上記フレーム部材３３１に軸受３３５が設置されている。これら軸受３３５、３３５は、それぞれ、上記フレーム部材３３１に固着された内輪３３７と、この内輪３３７の外周側に摺動可能に設置された外輪３３９とから構成されている。また、上記軸受３３５、３３５それぞれの外輪３３９とスライダ２０５のフレーム部材２６５とは、接続用フレーム部材３４１を介して接続されている。すなわち、ベッド本体２０７と上記スライダ２０５とは、上記軸受３３５、３３５によって、回動可能に接続されている。なお、上記接続用フレーム部材３４１も、その横断面形状が略円形をなしている。
また、図１１に示すように、上記接続用フレーム部材３４１には、リング設置部材３４３を介してリング３４５が設置されている。
【００５６】
また、例えば、図９や図１２に示すように、上記ベッド本体２０７の底部２７７にはベッド側レール３５１ａ、３５１ｂが長さ方向（図１２中左右方向）に指向された状態で設置されている。図９に示すように、前述したレール２１１ａ、２１１ｂと同様に、これらベッド側レール３５１ａ、３５１ｂも、略Ｕ字型の横断面形状を成しており、溝３５３が形成されている。
また、図１１や図１２に示すように、上記ベッド側レール３５１ａ、３５１ｂのスライダ２０５側端部（図１２中右側端部）には、それぞれ、下方（図１２中紙面垂直方向手前側）に向けてフレーム部材３５７が設置されており、このフレーム部材３５７の先端にはリング３５９が設置されている。上記フレーム部材３５７も、その横断面形状が略円形をなしている。
【００５７】
また、上記ベッド側レール３５１ａ、３５１ｂの先端側（図９中右下側）には、ほぼ円形の横断面形状を成すフレーム部材３５５が設置されており、このフレーム部材３５５には、緩衝・補助手段としての固定側定荷重バネ３６１、３６１が設置されている。この固定側定荷重バネ３６１は、前述した第１の実施の形態における定荷重バネ１５と同様の構成であり、バネ本体３６３と図示しないドラムと、ハウジング３６５とから構成されており、上記バネ本体３６３を上記ドラムから引き出す際に一定の荷重が加わるものである。また、上記ドラム３６５は、上記フレーム部材３５５に対して、軸受３６７、３６７を介して回転可能に設置されている。
【００５８】
また、例えば、図１２に示すように、上記ベッド本体２０７の底部２７７には、フレーム部材３７１、３７１、３７３、３７３が設置されている。図９に示すように、上記フレーム部材３７１、３７１の先端側には、それぞれリング３７５、３７５が設置されている。上記フレーム部材３７１、３７１、３７３、３７３も、その横断面形状が略円形をなしている。
【００５９】
また、図９に示すように、上記フレーム部材３７３の先端側（図９中左上側）は、接続部材３７６を介して底部２７７のフレーム部材２７５と接続されている。上記フレーム部材３７１の先端側（図９中左上側）も、接続部材３７７を介して上記底部２７７のフレーム部材２７５と接続されている。
【００６０】
また、図９や図１２に示すように、底部２７７の長さ方向（図９中左上から右下に向かう方向）中央付近のフレーム部材２７５、２７５間には、フレーム部材２７８、２７８が設置されている。これらフレーム部材２７８、２７８のそれぞれには、図９中下側に向けて、フレーム部材２７９、２７９が設置されている。そして、これらフレーム部材２７９、２７９のそれぞれの先端には、例えば、図１２に示すように、幅方向（図１２中上下方向）に指向された短いフレーム部材２８０が設置されている。
【００６１】
また、例えば、図１２に示すように、上記ベッド側レール３５１ａ、３５１ｂに沿って移動可能に、移動側定荷重バネユニット３８１が設置されている。
この移動側定荷重バネユニット３８１には、幅方向（図１２中上下方向）に指向されたフレーム部材３８３と、このフレーム部材３８３の両端側に前後方向（図１２中左右方向）に指向された状態で設置されたフレーム部材３８５ａ、３８５ｂとから構成された定荷重バネユニット本体３８７がある。上記フレーム部材３８３、３８５ａ、３８５ｂも、その横断面形状が略円形をなしている。
【００６２】
例えば、図１３に示すように、上記定荷重バネユニット本体３８７のフレーム部材３８５ａには、ローラ３９１、３９１が回転可能に設置されており、このローラ３９１、３９１は上記ベッド側レール３５１ａの溝３５３内に転動可能に設置されている。また、同様に、上記定荷重バネユニット本体３８７のフレーム部材３８５ｂにも、ローラ３９１、３９１が回転可能に設置されており、このローラ３９１、３９１も上記ベッド側レール３５１ｂの溝３５３内に転動可能に設置されている。
これらローラ３９１によって上記定荷重バネユニット本体３８７は、上記ベッド側レール３５１ａ、３５１ｂに沿って移動可能となっている。
【００６３】
また、上記定荷重バネユニット本体３８７のフレーム部材３８３には、緩衝・補助手段としての移動側定荷重バネ３９５、３９５が設置されている。この移動側定荷重バネ３９５も、前述した第１の実施の形態における定荷重バネ１５と同様の構成であり、バネ本体３９７と図示しないドラムとハウジング３９９とから構成されており、上記バネ本体３９７を上記図示しないドラムから引き出す際に一定の荷重が加わるものである。また、上記図示しないドラムは、上記フレーム部材３８３に対して、軸受４０１を介して回転可能に設置されている。
【００６４】
また、図１２に示すように、上記フレーム部材３８３の両端側には、それぞれリング４０３、４０３が設置されている。
また、上記フレーム部材３８５ａ、３８５ｂの基端側（図１２中右側）にも、それぞれ、リング設置部材４０５を介してリング４０７が設置されている。
【００６５】
また、図１２に示すように、固定側定荷重バネ３６１のバネ本体３６３の先端側と、移動側定荷重バネ３９５のバネ本体３９７の先端側とが、接続部材４１１によって接続されている。すなわち、上記固定側定荷重バネ３６１のバネ本体３６３の先端が上記接続部材４１１に固定されるとともに、上記移動側定荷重バネ３９５のバネ本体３９７の先端も上記接続部材４１１に固定されている。
また、上記接続部材４１１の両端にはそれぞれリング４１３、４１３が設置されている。
【００６６】
また、所定の長さの図示しないワイヤの両端が、上記リング４１３と前述した底部２７７のフレーム部材３７１に設置されたリング３７５に固定されている。これにより、上記図示しないワイヤの長さ以上に、上記固定側定荷重バネ３６１のバネ本体３６３が引き出されないようになっている。
また、所定の長さの図示しないワイヤの両端が、上記リング部材４１３と前述した定荷重バネユニット３８１のリング４０３に固定されている。これにより、上記図示しないワイヤの長さ以上に、上記移動側定荷重バネ３９５のバネ本体３９７が引き出されないようになっている。また、上記図示しないワイヤは、前述した上記ベッド側レール３５１ａ、３５１ｂにフレーム部材３５７を介して設置されたリング３５９を貫通している。これにより、上記定荷重バネユニット３８１が上記ベッド側レール３５１ａ、３５１ｂに沿って移動しても、上記図示しないワイヤが撓まないようになっている。
【００６７】
また、前述した壁側ユニット２０３の図９中上側のフレーム部材２１４のリング２１５と上記定荷重バネユニット３８１のリング４０７との間に、図示しないワイヤが張設されている。このワイヤは、上記固定側定荷重バネ３６１と上記移動側定荷重バネ３９５によって引っ張られることになり、上記ワイヤを介して、上記固定側定荷重バネ３６１と上記移動側定荷重バネ３９５の弾性力により、ベッド本体２０７を持ち上げるようにしている。
【００６８】
また、上記定荷重バネユニット３８１は、上記ベッド側レール３５１ａ、３５１ｂに沿って移動するようになっているため、上記ベッド本体２０７が壁面に沿って建てた状態で設置された際には、上記固定側定荷重バネ３６１と上記移動側定荷重バネ３９５が巻き取られることで上記ベッド本体２０７の先端側（図１２中左側）に移動され、上記ベッド本体２０７が引き出された際には、上記固定側定荷重バネ３６１と上記移動側定荷重バネ３９５が引き出されることで上記ベッド本体２０７の基端側（図１２中右側）に移動される。
【００６９】
また、本実施の形態の場合、収納型ベッド２０１は部屋４２１内に設置される。また、上記収納型ベッド２０１の壁側ユニット２０３は、上記部屋４２１の壁面４２３に設置される。
【００７０】
次に、本実施の形態による作用を説明する。
まず、ベッド本体２０７を図１５（ａ）に示す引き出し状態から収納する場合について説明する。図１５（ａ）に示す状態から、モータ２３１を正転させて、スプロケット２３７ａ（２３７ｂ）、２５５ａ（２５５ｂ）により、チェーン２５７ａ（２５７ｂ）を図１５中反時計回り方向に回転させると、スライダ２０５がレール２１１ａ、２１１ｂに沿って図１５中上側に移動される。これにより、上記ベッド本体２０７のスライダ２０５側（図１５（ａ）中左側）が持ち上げられ、図１５（ｂ）に示すような状態となる。
そして、さらに、上記スライダ２０５が上記レール２１１ａ、２１１ｂに沿って図１５中上側に移動されると、図１５（ｃ）に示すように、上記ベッド本体２０７が上記壁面４２３に沿って立った状態で収納される。
【００７１】
このような収納動作に際して、固定側定荷重バネ３６１、３６１、移動側定荷重バネ３９５、３９５は次のように作用する。既に述べたように、収納初期時に、上記ベッド本体２０７のスライダ２０５側（図１５（ａ）中左側）を上記モータ２３１、スプロケット２３７ａ（２３７ｂ）、チェーン２５７ａ（２５７ｂ）によって持ち上げると、上記、固定側定荷重バネ３６１、３６１、移動側定荷重バネ３９５、３９５が、自身の弾性復帰力により収縮しようと作用し、それによって、上記モータ２３１に大きな収納力を作用させることなく、上記ベッド本体２０７を収納状態に移行させることができる。
【００７２】
また、上記ベッド本体２０７が収納される過程において、上記ベッド本体２０７の他端側（図１５（ａ）中右側）が持ち上げられることはないため、家具４２５に上記ベッド本体２０７が干渉することはない。
【００７３】
また、収納させた上記ベッド本体２０７を引き出す場合は、図１５（ｃ）に示す状態から、上記モータ２３１を逆転させればよい。
【００７４】
次に、本実施の形態による効果を説明する。
本実施の形態による収納型ベッド２０１も、壁面４２３に上下方向に指向されたレール２１１ａ、２１１ｂに沿って移動可能にスライダ２０５を設置し、このスライダ２０５に対してベッド本体２０７の一端側（図８中左上側）を回動可能に設置したため、引き出された上記ベッド本体２０７の上方に障害物（例えば、図１５に示す家具４２５）があるような狭い空間内であっても、上記ベッド本体２０７を収納／引き出しすることができる。つまり、ベッド本体２０７の収納／引き出しに要するスペースを縮小させて室内４２１の空間の有効利用を図ることができるものである。
【００７５】
また、本実施の形態の場合は、モータ２３１により、スプロケット２３７ａ（２３７ａ）、２５５ａ（２５５ｂ）、及び、チェーン２５７ａ（２５７ｂ）を介して、上記スライダ２０５、ひいては、上記ベッド本体２０７を移動させるようにしているので、図示しない作業者の力によらなくても上記ベッド本体２０７を収納／引き出しすることができる。
また、本実施の形態の場合も、固定側定荷重バネ３６１、３６１と移動側定荷重バネ３９５、３９５が設置されているため、上記ベッド本体２０７の収納時に必要な力を小さくすることができ、上記モータ２３１の駆動に必要な電力を小さくすることができる。なお、上記ベッド本体２０７を引き出す場合は、上記ベッド本体２０７が自重により下がっていくため、必要な力が小さなものとなっているとともに、上記固定側定荷重バネ３６１、３６１と移動側定荷重バネ３９５、３９５の弾性力が適度に抵抗として作用するので、引き出し時の衝撃を緩衝することができる。
【００７６】
また、軌道としてレール２１１ａ、２１１ｂの溝２１３、２１３内にローラ２６９、２６９が転動する構成になっているので、ベッド本体２０７の収納／引き出し動作の円滑化を図ることができる。
また、上記固定側定荷重バネ３６１と移動側定荷重バネ３９５が左右に一つずつ設けられているので、その機能も左右でバランスがとれたものとなり、それによって、ベッド本体２０７の収納／引き出し動作の円滑化を図ることができる。
【００７７】
次に、図１６乃至図１９を参照しながら、本発明の第３の実施の形態について説明する。
本実施の形態による収納型ベッド５０１は、前述した第２の実施の形態による収納型ベッド２０１と略同様の構成であるが、固定側定荷重バネ３６１や移動側定荷重バネユニット３８１、ベッド側レール３５１ａ、３５１ｂ等が設置されていない。その代わりに、図１７に示すように、チェーン２５７ａ、２５７ｂの、スライダ２０５が設置された側とは反対側（図１７中左下側）に、緩衝・補助手段としてのカウンターウェイト５０３が設置されている。このカウンターウェイト５０３によって、スライダ２０５や後述するベッド本体５０７のスライダ２０５側（図１６中左上側）を図１６中上側に移動させる際に必要な力を小さくしている。
【００７８】
また、図１７に示すように、壁側ユニット２０３の下側にはフレーム部材２１４と平行なフレーム部材５０４が設置されており、これらフレーム部材２１４、５０４間に、図１７中上下方向に指向されたフレーム部材５０５ａ、５０５ｂが設置されている。また、これらフレーム部材５０５ａ、５０５ｂの図１７中上下方向中央には水平方向（図１７中左上から右下に向かう方向）に指向されたフレーム部材５０５ｃが設置されている。そして、図１６に示すように、上記フレーム部材２１４、５０４、５０５ａ、５０５ｂ、５０５ｃの表側（図１６中右下側）には化粧板５０６が設置されている。
なお、上記フレーム部材５０４、５０５ａ、５０５ｂ、５０５ｃも、上記フレーム部材２１４と同様、その横断面形状が略円形をなしている。
【００７９】
また、上記収納型ベッド５０１は、スライダ２０５に、既に述べたベッド本体５０７が回動可能に接続されている。このベッド本体５０７は、前述した第２の実施の形態におけるベッド本体２０７と略同様の構成となっているが、図１６に示すように、先端側（図１６中右下側）の幅方向両端に２つずつ（合計４つ）のキャスタ５０９、５０９、５１１、５１１が設置されている。
【００８０】
また、図１６に示すように、上記ベッド本体５０７の幅方向（図１６中左下から右上に向かう方向）両側それぞれのフレーム部材２７１とフレーム部材３１３の先端側には、図１６中上下方向に指向されたフレーム部材５１３、５１３が設置されている。これらフレーム部材５１３、５１３のそれぞれの下端（図１６中下側端）には、既に述べたキャスタ５０９、５０９が設置されている。
【００８１】
また、上記ベッド本体５０７の幅方向（図１６中左下から右上に向かう方向）の一端側の上記フレーム部材５１３には、前後方向（図１６中左上から右下に向かう方向）に指向されたフレーム部材５１５、５１７、５１９が接続されており、上記フレーム部材５１５と上記フレーム部材５１７との間には化粧板５２１が設置されている。また、上記ベッド本体５０７の幅方向（図１６中左下から右上に向かう方向）の他端側の上記フレーム部材５１３にも、同様に、フレーム部材５１５、５１７、５１９が接続されており、上記フレーム部材５１５と上記フレーム部材５１７との間にも化粧板５２１が設置されている。
【００８２】
また、上記フレーム部材５１９、５１９の先端（図１６中右下側端）には、それぞれ、既に述べたキャスタ５１１、５１１が設置されている。
また、上記フレーム部材５１９の先端側（図１６中右下側）には、図１６中上下方向に指向されたフレーム部材５２３が接続されており、このフレーム部材５２３には上記フレーム部材５１５、５１７が接続されている。
【００８３】
また、上記ベッド本体５０７の幅方向（図１６中左下から右上に向かう方向）の一端側の上記フレーム部材５２３には、前後方向（図１６中左上から右下に向かう方向）に指向されたフレーム部材５２５、５２７が接続されている。上記フレーム部材５２５と上記フレーム部材５２７との間には、化粧板５２９が設置されている。
また、上記ベッド本体５０７の幅方向（図１６中左下から右上に向かう方向）の他端側の上記フレーム部材５２３にも、同様に、フレーム部材５２５、５２７が接続されている。上記フレーム部材５２５と上記フレーム部材５２７との間にも、化粧板５２９が設置されている。
【００８４】
また、上記フレーム部材５２５、５２５の先端どうしは、フレーム部材５３１によって連結されており、上記フレーム部材５２７、５２７の先端どうしは、フレーム部材５３３によって連結されている。また、上記フレーム部材５３１と上記フレーム部材５３３との間には、化粧板５３５が設置されている。
また、上記フレーム部材５２７、５２７の長さ方向（図１６中左上から右下に向かう方向）中央付近どうしは、図示しないフレーム部材によって連結されている。
なお、本実施の形態によるベッド本体５０７の全長（図１６中左上から右下に向かう方向の長さ）は、前述した第２の実施の形態におけるベッド本体２０７の全長（図９中左上から右下に向かう方向の長さ）と同じに設定されている。また、上記フレーム部材５１３、５１５、５１７、５１９、５２３、５２５、５２７、５３１、５３３も、その横断面形状が略円形をなしている。
【００８５】
本実施の形態の場合も、収納型ベッド５０１は部屋４２１内に設置される。また、上記収納型ベッド５０１の壁側ユニット２０３は、上記部屋４２１の壁面４２３に設置される。
【００８６】
次に本実施の形態による収納型ベッド５０１の作用について説明する。
まず、ベッド本体５０７を、図１９（ａ）に示す引き出し状態から収納する場合について説明する。図１９（ａ）に示す状態から、モータ２３１を正転させて、スプロケット２３７ａ（２３７ｂ）、２５５ａ（２５５ｂ）により、チェーン２５７ａ（２５７ｂ）を図１９中反時計回り方向に回転させると、スライダ２０５がレール２１１ａ、２１１ｂに沿って図１９中上側に移動される。これにより、上記ベッド本体５０７のスライダ２０５側（図１９（ａ）中左側）が持ち上げられ、図１９（ｂ）に示すような状態となる。また、このとき、カウンターウェイト５０３により、上記スライダ２０５や上記ベッド本体５０７のスライダ２０５側（図１９（ａ）中左側）を持ち上げようとする力が生じる。
そして、さらに、上記スライダ２０５が上記レール２１１ａ、２１１ｂに沿って図１９中上側に移動されると、図１９（ｃ）に示すように、上記ベッド本体５０７が上記壁面４２３に沿って立った状態で収納される。
【００８７】
このような収納動作に際して、カウンターウェイト５０３は次のように作用する。既に述べたように、収納初期時に、上記ベッド本体５０７のスライダ２０５側（図１９（ａ）中左側）を上記モータ２３１、スプロケット２３７ａ（２３７ｂ）、チェーン２５７ａ（２５７ｂ）によって持ち上げると、上記カウンターウェイト５０３が、自身の重量により図１９（ａ）中下側に移動するように作用し、それによって、上記モータ２３１に大きな収納力を作用させることなく、上記ベッド本体５０７を収納状態に移行させることができる。
【００８８】
このようにして、上記ベッド本体５０７が収納される過程において、上記ベッド本体５０７の反スライダ２０５側（図１９（ａ）中右側）が持ち上げられることはないため、上記部屋４２１内に設置された家具４２５に上記ベッド本体５０７が干渉することはない。
【００８９】
また、収納させた上記ベッド本体５０７を引き出す場合は、図１９（ｃ）に示す状態から、上記モータ２３１を逆転させればよい。
【００９０】
次に、本実施の形態による効果を説明する。
本実施の形態による収納型ベッド５０１も、壁面４２３に上下方向に指向されたレール２１１ａ、２１１ｂに沿って移動可能にスライダ２０５を設置し、このスライダ２０５に対してベッド本体５０７の一端側（図１６中左上側）を回動可能に設置したため、引き出された上記ベッド本体５０７の上方に障害物（例えば、図１９に示す家具４２５）があるような狭い空間内であっても、上記ベッド本体５０７を収納／引き出しすることができる。つまり、ベッド本体５０７の収納／引き出しに要するスペースを縮小させて室内４２１の空間の有効利用を図ることができるものである。
【００９１】
また、モータ２３１により、スプロケット２３７ａ（２３７ａ）、２５５ａ（２５５ｂ）、及び、チェーン２５７ａ（２５７ｂ）を介して、上記スライダ２０５、ひいては、上記ベッド本体５０７を移動させるようにしているので、図示しない作業者の力によらなくても上記ベッド本体５０７を収納／引き出しすることができる。
また、本実施の形態の場合は、カウンターウェイト５０３により上記ベッド本体５０７の収納時に必要な力を小さくすることができ、上記モータ２３１の駆動に必要な電力を小さくすることができる。なお、上記ベッド本体５０７を引き出す場合は、上記ベッド本体５０７が自重により下がっていくため、必要な力が小さなものとなっているとともに、上記カウンターウェイト５０３が適度に抵抗として作用するので、引き出し時の衝撃を緩衝することができる。
なお、本実施の形態の説明は、前述した第２の実施の形態と共通する構成要素には、同一の符号を付し、その説明を省略している。
【００９２】
次に、図２０乃至図２１を参照しながら、本発明の第４の実施の形態について説明する。
本実施の形態による収納型ベッド６０１は、前述した第３の実施の形態による収納型ベッド２０１と略同様の構成であるが、ベッド本体６０３を中央付近で折れ曲がるようにしている。また、スプロケット２３７ａ（２３７ａ）、２５５ａ（２５５ｂ）、チェーン２５７ａ（２５７ｂ）、及び、カウンターウェイト５０３は設置されているが、モータ２３１や軸２３５、軸受２２５、２３３等は設置されていない。
【００９３】
図２０に示すように、上記ベッド本体６０３は、ベッド前部６０５、ベッド後部６０７、及び、接続部６０９から構成される。上記ベッド前部６０５は、その前端側（図２０中左上側）がスライダ２０５と回動可能に接続されており、上記ベッド後部６０７は上記接続部６０９を介して上記ベッド前部６０５の後端側（図２０中右下側）に回動可能に接続されている。
【００９４】
上記ベッド前部６０５には、図２０に示すように、コの字型に接続されたフレーム部材６１１、６１３、６１５がある。上記フレーム部材６１３と上記フレーム部材６１５とは平行に設置されており、上記フレーム部材６１３と上記フレーム部材６１５との間には、複数（本実施の形態の場合は５本）のフレーム部材６１７が上記フレーム部材６１１と平行に設置されている。上記フレーム部材６１１、６１３、６１５、６１７も、その横断面形状が略円形をなしている。
【００９５】
また、上記フレーム部材６１３と上記フレーム部材６１５の両端には、それぞれ、図２０中上下方向に指向されたフレーム部材６１９、６１９、６１９、６１９が設置されている。個々の上記フレーム部材６１９の下端（図２０中下側端）には、キャスタ６２１が設置されている。上記フレーム部材６１９も、その横断面形状が略円形をなしている。
また、上記フレーム部材６１１の図２０中上側にはフレーム部材６２３が平行に設置されており、上記フレーム部材６１３の図２０中上側にはフレーム部材６２５が平行に設置されており、上記フレーム部材６１５の図２０中上側にはフレーム部材６２７が平行に設置されている。上記フレーム部材６２３、６２５、６２７も、その横断面形状が略円形をなしている。
【００９６】
また、上記フレーム部材６１１と隣接する上記フレーム部材６１７には、軸受部３２５が設置されている。この軸受部３２５により、上記ベッド前部６０５と上記スライダ２０５とが回動可能に接続されている。
【００９７】
上記ベッド後部６０７には、図２０に示すように、四角形状に接続されたフレーム部材６３１、６３３、６３５、６３７がある。また、上記フレーム部材６３３と上記フレーム部材６３７との間には、複数（本実施の形態の場合は４本）のフレーム部材６４１が、上記フレーム部材６３１、６３５と平行に設置されている。上記フレーム部材６３１、６３３、６３５、６３７、６４１も、その横断面形状が略円形をなしている。
【００９８】
また、上記フレーム部材６３１の両端には、それぞれ、図２０中上下方向に指向されたフレーム部材６４３、６４３が設置されている。また、上記フレーム部材６３５の両端にも、それぞれ、図２０中上下方向に指向されたフレーム部材６４３、６４３が設置されている。個々の上記フレーム部材６４３の下端（図２０中下側端）には、キャスタ６４５が設置されている。上記フレーム部材６４３も、その横断面形状が略円形をなしている。
また、上記フレーム部材６３３の図２０中上側にはフレーム部材６４７が平行に設置されており、上記フレーム部材６３５の図２０中上側にはフレーム部材６４９が平行に設置されており、上記フレーム部材６３７の図２０中上側にはフレーム部材６５１が平行に設置されている。上記フレーム部材６４７、６４９、６５１も、その横断面形状が略円形をなしている。
【００９９】
また、上記接続部６０９には、幅方向（図２０中左下から右上に向かう方向）に指向され、平行に配置したフレーム部材６６１、６６１（図２０中右下側のフレーム部材６６１は図示していない）と、このフレーム部材６６１、６６１の両端どうしを接続するフレーム部材６６３、６６３がある。また、上記ベッド前部６０５側（図２０中左上側）の上記フレーム部材６６１の両端には、それぞれ上記ベッド前部６０５側上方（図２０中左上側）に指向されたフレーム部材６６５が設置されている。また、上記ベッド後部６０７側（図２０中右下側）の上記フレーム部材６６１の両端にも、それぞれ、上記ベッド後部６０７側上方（図２０中右側）に指向された図示しないフレーム部材が設置されている。上記フレーム部材６６１、６６３、６６５や、図示しないフレーム部材も、その横断面形状が略円形をなしている。
【０１００】
また、上記フレーム部材６６５、６６５の先端には、軸受６６７が接続されている。この軸受６６７は、上記フレーム部材６６５、６６５の先端に接続された外輪６６９と、この外輪６６９の内周側に摺接し回動可能に設置された内輪６７１とから構成されている。
また、上記ベッド後部６０７側上方（図２０中右側）に指向された図示しないフレーム部材の先端にも、同様に、上記軸受６６７が接続されている。
また、図２０に示すように、上記接続部６０９には、上記したような、フレーム部材６６１、６６３、６６５や軸受６６７等による構造物が、複数組（本実施の形態の場合は２組）設置されている。
【０１０１】
また、ベッド前部６０５側（図２０中左上側）の上記軸受６６７、６６７の内輪６７１、６７１は、フレーム部材６８１によって貫通され、このフレーム部材６８１に上記内輪６７１、６７１が固着されている。
また、上記フレーム部材６８１は、接続部材６８３、６８３、６８３によって、上記ベッド前部６０５の最もベッド後部６０７側（図２０中右下側）のフレーム部材６１７に接続されている。これにより、上記ベッド前部６０５と上記接続部６０９とが回動可能に接続されている。上記フレーム部材６８１も、その横断面形状が略円形をなしている。
【０１０２】
また、ベッド後部６０７側（図２０中右下側）の上記軸受６６７、６６７の内輪６７１、６７１は、フレーム部材６８５によって貫通され、このフレーム部材６８５に上記内輪６７１、６７１が固着されている。上記フレーム部材６８５も、その横断面形状が略円形をなしている。
また、上記フレーム部材６８５は、接続部材６８７、６８７、６８７によって、上記ベッド後部６０７の最もベッド前部６０５側（図２０中左上側）のフレーム部材６４１に接続されている。これにより、上記ベッド後部６０７と上記接続部６０９とが回動可能に接続されている。
そして、このように、上記接続部６０９を介して、上記ベッド前部６０５と上記ベッド後部６０７とが、回動可能に接続されている。
本実施の形態の場合も、収納型ベッド６０１は部屋４２１内に設置される。また、上記収納型ベッド６０１の壁側ユニット２０３は、上記部屋４２１の壁面４２３に設置される。
【０１０３】
次に本実施の形態による収納型ベッド６０１の作用について説明する。
まず、ベッド本体６０３を図２１（ａ）に示すような引き出し状態から収納する場合について説明する。図２１（ａ）に示す状態から、上記ベッド前部６０５のスライダ２０５側（図２１（ａ）中左側）を図示しない作業者が持ち上げると、上記スライダ２０５がレール２１１ａ、２１１ｂに沿って図２１中上側に移動される。このとき、カウンターウェイト５０３により、上記スライダ２０５や上記ベッド前部６０５のスライダ２０５側（図２１（ａ）中左側）を持ち上げようとする力が生じる。これにより、上記ベッド前部６０５のスライダ２０５側（図２１（ａ）中左側）が持ち上げられ、図２１（ｂ）に示すような状態となる。
【０１０４】
そして、この図２１（ｂ）に示す状態に至るまでに、上記ベッド前部６０５は接続部６０９に対して回動されて壁面４２３に沿って立てられた状態となり、ベッド後部６０７は引き出し時と同じ水平な状態となっている。これにより、上記ベッド本体６０３を、上記ベッド前部６０５を背もたれとしたソファにすることができる。
【０１０５】
さらに、上記スライダ２０５が上記レール２１１ａ、２１１ｂに沿って図２１中上側に移動されると、図２１（ｃ）に示すように、上記ベッド本体６０３が上記壁面４２３に沿って立った状態で収納される。この図２１（ｃ）に示す状態に至るまでに、上記接続部６０９は上記ベッド前部６０５や上記ベッド後部６０７に対して回動され、上記ベッド前部６０５、上記接続部６０９、上記ベッド後部６０７が、上記壁面４２３に沿って図２１中上下方向に配置される。
【０１０６】
このような収納動作に際して、カウンターウェイト５０３は次のように作用する。既に述べたように、収納初期時に、上記ベッド本体６０３のスライダ２０５側（図２１（ａ）中左側）を図示しない作業者が持ち上げると、上記カウンターウェイト５０３が、自身の重量により図２１（ａ）中下側に移動するように作用し、それによって、作業者は大きな収納力を作用させることなく、ベッド本体７を収納状態に移行させることができる。
【０１０７】
このようにして、上記ベッド本体６０３が収納される過程において、上記ベッド後部６０７の反スライダ２０５側（図２１（ａ）中右側）が持ち上げられることはないため、上記部屋４２１内に設置された家具４２５に上記ベッド後部６０７が干渉することはない。
【０１０８】
また、収納させた上記ベッド本体６０３を引き出す場合は、図２１（ｃ）に示す状態から、上記ベッド後部６０７を図２１（ｃ）中右側に移動させつつ、上記ベッド前部６０５を図２１中下側に移動させればよい。
【０１０９】
次に、本実施の形態による効果を説明する。
本実施の形態による収納型ベッド６０１も、壁面４２３に上下方向に指向されたレール２１１ａ、２１１ｂに沿って移動可能にスライダ２０５を設置し、このスライダ２０５に対してベッド本体６０３の一端側（図２０中左上側）を回動可能に設置したため、引き出された上記ベッド本体６０３の上方に障害物（例えば、図２１に示す家具４２５）があるような狭い空間内であっても、上記ベッド本体６０３を収納／引き出しすることができる。つまり、ベッド本体２０７の収納／引き出しに要するスペースを縮小させて室内４２１の空間の有効利用を図ることができるものである。
【０１１０】
また、上記ベッド本体６０３は、接続部６０９によって、ベッド前部６０５とベッド後部６０７とが回動可能に接続されているため、上記ベッド前部６０５のみを立てた状態とし、上記ベッド本体６０３をソファとして用いることができる。
【０１１１】
また、本実施の形態の場合は、カウンターウェイト５０３により上記ベッド本体６０３の収納時に必要な力を小さくすることができる。なお、上記ベッド本体６０３を引き出す場合は、上記ベッド本体６０３が自重により下がっていくため、必要な力が小さなものとなっているとともに、上記カウンターウェイト５０３が適度に抵抗として作用するので、引き出し時の衝撃を緩衝することができる。
なお、本実施の形態の説明は、前述した第２の実施の形態と共通する構成要素には、同一の符号を付し、その説明を省略している。
【０１１２】
次に、図２２と図２３を参照しながら本発明の第５の実施の形態について説明する。
本実施の形態による収納型ベッド７０１は、前述した第２の実施の形態による収納型ベッド２０１と略同様の構成であるが、モータ２３１、スプロケット２３７ａ、２３７ｂ、チェーン２５７ａ、２５７ｂ、スプロケット支持部２３９、スプロケット２５５ａ、２５５ｂ等が設置されていない。その代わりに、壁側ユニット２０３の図２２中下側には、ウィンチ７０３が設置されている。また、上記スプロケット２３７ａ、２３７ｂの代わりに軸２３５にプーリ７０５ａ、７０５ｂが設置されている。上記プーリ７０５ａには上記チェーン２５７ａの代わりにワイヤ７０７ａが巻回されており、上記プーリ７０５ｂには上記チェーン２５７ｂの代わりにワイヤ７０７ｂが巻回されている。
【０１１３】
そして、上記ワイヤ７０７ａの一端はスライダ２０５に接続されており、他端は上記ウィンチ７０３のドラム７０９ａに接続されている。また、上記ワイヤ７０７ｂの一端はスライダ２０５に接続されており、他端は上記ウィンチ７０３のドラム７０９ｂに接続されている。すなわち、上記ウィンチ７０３によって、上記スライダ２０５を図２２中上下方向に移動させるようになっている。
【０１１４】
上記ウィンチ７０３には、図２２及び図２３に示すように、モータ７１１が設置されている。このモータ７１１は、レール２１１ａの下端側（図２２中下側）に固着された設置用部材７１３によって支持されている。また、上記モータ７１１の出力軸にはべベルギア７１５が設置されている。
【０１１５】
また、上記ウィンチ７０３には、軸７１７が設置されている。この軸７１７は、その両端をレール２１１ａ、２１１ｂの下端側（図２２中下側）に設置された図示しない軸受によって回転可能に支持されている。
また、上記軸７１７にはべベルギア７１９が固着されている。このべベルギア７１９は上記べベルギア７１５と歯合されていて、上記モータ７１１によって上記軸７１７が回転されるようになっている。
【０１１６】
また、上記軸７１７の両端側には、既に述べたドラム７０９ａ、７０９ｂが固着されている。例えば、上記モータ７１１が正転されれば、上記ドラム７２１ａ、７２１ｂには上記ワイヤ７０７ａ、７０７ｂが巻き取られて、スライダ２０５が図２２中上側に移動されるようになっており、上記モータ７１１が逆転されれば、上記ドラム７２１ａ、７２１ｂから上記ワイヤ７０７ａ、７０７ｂが引き出されて、上記スライダ２０５が図２２中下側に移動されるようになっている。
【０１１７】
本実施の形態による収納型ベッド７０１も、前述した第２の実施の形態による収納型ベッド２０１と同様の作用・効果を奏する。
【０１１８】
次に、図２４と図２５を参照しながら本発明の第６の実施の形態について説明する。
本実施の形態による収納型ベッド８０１は、前述した第２の実施の形態による収納型ベッド２０１と略同様の構成であるが、モータ２３１、スプロケット２３７ａ、２３７ｂ、チェーン２５７ａ、２５７ｂ、スプロケット支持部２３９、スプロケット２５５ａ、２５５ｂ、軸２３５等が設置されていない。その代わり、本実施の形態の場合には、ボールネジ機構８０３が設置されており、このボールネジ機構８０３によってスライダ２０５を図２４中上下方向に移動させるようになっている。
【０１１９】
上記ボールネジ機構８０３には、まず、図２４中上下方向に指向されたボールネジ８０５がある。このボールネジ８０５は、外周面に雄ネジ部８０６が形成されており、レール２１１ａ、２１１ｂの上端側（図２４中上側）に設置された上側ボールネジ支持部８０７と、上記レール２１１ａ、２１１ｂの下端側（図２４中下側）に設置された下側ボールネジ支持部８０９によって回転可能に支持されている。上記上側ボールネジ支持部８０７は、上記レール２１１ａ、２１１ｂの上端（図２４中上側）にその両端を固定された基板８１１と、この基板８１１に設置された軸受８１３とから構成される。また、上記下側ボールネジ支持部８０９も、上記レール２１１ａ、２１１ｂの下端（図２４中下側）にその両端を固定された基板８１５と、この基板８１５に設置された軸受８１７とから構成される。上記ボールネジ８０５は、その両端側が上記軸受８１３、８１７によって回転可能に支持されている。
【０１２０】
また、上記ボールネジ８０５の下端側（図２４中下側）には、べベルギア８１９が固着されている。
上記下側ボールネジ支持部８０９の基板８１５には支持部材８２１を介してモータ８２３が設置されている。このモータ８２３の出力軸にはべベルギア８２５が固着されている。このべベルギア８２５は、上記ボールネジ８０５に固着されたべベルギア８１９に歯合されており、上記モータ８２３によって上記ボールネジ８０５が回転されるようになっている。
【０１２１】
また、上記ボールネジ８０５には、ボールナット８２７が螺合されている。このボールナット８２７の内周面には図示しない雌ネジ部が形成されている。また、上記ボールナット８２７の内部には図示しない無負荷循環路やリターン路が設けられている。そして、上記ボールネジ８０５の雄ネジ部８０６と上記ボールナット８２７の図示しない雌ネジ部との間の空間、上記図示しない無負荷循環路、及び、リターン路内には、図示しない複数の鋼球が循環するようになっている。
また、上記ボールナット８２７は、上記ボールネジ８０５が上記モータ８２３によって回転されると、図２４中上下方向に移動される。
【０１２２】
また、上記ボールナット８２７は接続部材８２９を介して、スライダ２０５のフレーム部材２６５に接続されている。よって、上記ボールナット８２７が図２４中上下に移動されることにより、上記スライダ２０５も図２４中上下に移動される。
【０１２３】
本実施の形態による収納型ベッド８０１も、前述した第２の実施の形態による収納型ベッド２０１と同様の作用・効果を奏する。
【０１２４】
なお、本発明は前記一実施の形態に限定されるものではない。
例えば、第４の実施の形態における収納型ベッド６０１を、第２の実施の形態のようにモータによって駆動するようにしてもよい。また、上記収納型ベッド６０１にカウンターウェイト５０３ではなく、第１の実施の形態のように、定荷重バネを設置するようにしてもよい。
また、前記第１〜第６の実施の形態の場合には、ベッド収納構造体の一部である壁側ユニットを室の壁に沿って設置した構成を例に挙げて説明しているが、それに限定されるものではなく、壁から離間した場所に設置する構成も想定されるし、又、壁に凹みを設けてそこに全部又は一部を内装する構成も想定される。
その他、図示した構成はあくまで一例である。
【産業上の利用可能性】
【０１２５】
本発明は、例えば、室内に設置される収納型ベッドに係り、特に、収納／引き出しに要するスペースを縮小させ、室内空間の有効利用を図ることができるように工夫したものに関し、例えば、ユニットハウスの室内に設置される収納型ベッドに好適である。
【符号の説明】
【０１２６】
１  収納型ベッド
３  壁側ユニット（ベッド収納構造体の一部）
５  スライダ（ベッド収納構造体の一部）
７  ベッド本体
１１ａ  レール
１１ｂ  レール
１５  定荷重バネ（緩衝・補助手段）
４１  定荷重バネ（緩衝・補助手段）
２０１  収納型ベッド
２０３  壁側ユニット（ベッド収納構造体の一部）
２０５  スライダ（ベッド収納構造体の一部）
２０７  ベッド本体
２１１ａ  レール
２１１ｂ  レール
３６１  固定側定荷重バネ
３９５  移動側定荷重バネ
５０１  収納型ベッド
５０３  カウンターウェイト（緩衝・補助手段）
５０７  ベッド本体
６０１  収納型ベッド
６０３  ベッド本体
７０１  収納型ベッド
８０１  収納型ベッド
【図１】
2015104600.tif 000003
【図２】
2015104600.tif 000004
【図３】
2015104600.tif 000005
【図４】
2015104600.tif 000006
【図５】
2015104600.tif 000007
【図６】
2015104600.tif 000008
【図７】
2015104600.tif 000009
【図８】
2015104600.tif 000010
【図９】
2015104600.tif 000011
【図１０】
2015104600.tif 000012
【図１１】
2015104600.tif 000013
【図１２】
2015104600.tif 000014
【図１３】
2015104600.tif 000015
【図１４】
2015104600.tif 000016
【図１５】
2015104600.tif 000017
【図１６】
2015104600.tif 000018
【図１７】
2015104600.tif 000019
【図１８】
2015104600.tif 000020
【図１９】
2015104600.tif 000021
【図２０】
2015104600.tif 000022
【図２１】
2015104600.tif 000023
【図２２】
2015104600.tif 000024
【図２３】
2015104600.tif 000025
【図２４】
2015104600.tif 000026
【図２５】
2015104600.tif 000027